(57)【要約】【課題】マンション、団地などにおいて、屋内から屋上に延びる排水用伸頂通気管等のための屋上ユニットであって、配管の位置合わせが容易であり、防水層の膨張収縮を余裕を持って吸収でき、かつ施工が容易で安価な小型通気管用ユニットの提供【解決手段】建築物屋上に設けられた通気管用ユニットであって、屋上スラブ層に固定するためのアンカーユニットにより固定された通気管より大なる断面、裾部を有する筒体、通気管が筒体頂部面より上まで延びていると共に、筒体と通気管の間が密閉され、さらに筒体頂部にスペーサー金具を用いて間隙を設けて取り付けられたフードからなり、かつ建築物屋上スラブ層上面に設けられた防水層が該筒体の壁面までカバーしてなる通気管専用屋上ユニット。【選択図】　　　　　　図５
2004003220.tif 000002
【特許請求の範囲】
【請求項１】
建築物屋上に設けられた通気管用ユニットであって、屋上スラブ層に固定するためのアンカーユニットにより固定され、建築物内部よりの通気管より大なる断面、裾部を有する筒体及びフードからなり、かつ建築物屋上スラブ層上面に設けられた防水層が該筒体の壁面までカバーしてなることを特徴とする通気管専用屋上ユニット。
【請求項２】
筒体頂部にフードをスペーサー金具を用いて間隙を設けて取り付け通気管を大気開放し、下端部が筒体頂部より筒体外周の下側に下がっている請求項１に記載の通気管専用屋上ユニット。
【請求項３】
建物内部からの通気管が、屋上ユニット筒体頂部面より上まで延びていると共に、通気管と筒体の間を密閉してある請求項１に記載の通気管専用屋上ユニット。
【請求項４】
筒体が裾部を有する筒体であって繊維強化セメント又は繊維強化プラスチックのいずれかである請求項１に記載の通気管専用屋上ユニット。
【請求項５】
屋上スラブ下型枠に配管用スリーブを固定し、コンクリートを打設し、コンクリート固化した後に通気管用ユニットをアンカーユニットで固定した後、以後順不同で良いが配管ユニット筒体の側面部まで一体化した屋上防水工事を行い、配管用スリーブを貫通する通気管施工を行うことを特徴とする屋上に通気管専用屋上ユニットを設置する方法。
【請求項６】
建築物屋上スラブ層上面に設けられた筒体の裾部が充填材を用いてフラット化するか、またはさらに該裾部と防水層の間に緩衝材を挿入する請求項５に記載の通気管専用屋上ユニットを設置する方法。
【請求項７】
屋上スラブ下型枠にレベルアンカー及びスリーブを固定して、レベル調整し、コンクリートを打設し、以後順不同で良いが配管ユニット筒体の側面部まで一体化した屋上防水工事を行い、配管用スリーブを貫通する通気管施工を行うことを特徴とする屋上に通気管専用屋上ユニットを設置する方法。
【発明の詳細な説明】
【０００１】
【発明の属する技術分野】
本発明は、マンション、団地などの集合住宅或いは個人住宅などにおいて、屋上への通気あるいは排気などの配管やダクトのための通気管用ユニット、特にトイレ、風呂場、厨房などの排水集合管に設ける排水伸頂通気管用屋上ユニットに好適であって、単管または２本程度の配管のための通気管用ユニット及びその設置方法に関する。勿論商業ビル、事務所ビルなどの大型建築などにも適用可能であるし、新築、リフォームのいずれであっても適用可能である。
【０００２】
【従来の技術】
大型の建築物の屋上には、建物内部の通気、排気或いは厨房、浴場、トイレなどの排水管からの伸頂通気管などの通気管が設けられ、さらに空調設備、太陽熱温水器などが設けられていることが多く、これに対する建物内部からの配管を設けることが必要であり、これら配管用ユニットは建物建設時に施工されており、これの配管ユニットは多くの提案がある。中でも大幅な工期短縮が可能であり、配管設備の維持管理が容易であり、型枠がいらない、廃材が出ないなどの利点がある屋上スラブを貫通した埋め込みユニット（特開昭６１−２４８９８３号、特開昭６３−１６１２４５号）が開発されている。
【０００３】
しかし、小規模のマンション、集合住宅や個人住宅など、屋上へ貫通する配管が単管或いは２本程度である場合、あるいは大型のビル、集合住宅などにおいてもリフォームなどにより通気管や配管の位置を変更したり、追加したりする場合には上記の埋め込みユニットは大げさで高価であり、より簡便にできる配管ユニットが必要である。
このような小型の配管ユニットとして、直接屋上に開口する配管に接続する鋳鉄製の防水継ぎ手が使用されてきた。
【０００４】
この鋳鉄製防水継ぎ手は、コストが安く数多く使用されているが、管径が１００〜２００ｍｍ程度が多く、裾が円錐状に広がっていてこれに防水層が被さるようになっている。しかし屋上の防水層はシートタイプが多く、春夏秋冬の季節変化、日中の太陽直射と夜の温度変化などに依る防水層の延び縮みが発生するが、これに追随するには管径が細いため膨張収縮を吸収し難く、防水層を切りやすい。さらに鋳鉄製であるため錆びやすく、錆び取りのためにレンチなどでキャップを外す際に防水層を切る危険を有している。
一方建築基準法の改正や品確法の施行により、住宅（戸建て、マンションなど）に「雨水の浸入」が１０年の瑕疵補償義務の対象となることが決定した。このため防水継ぎ手の錆の発生や防水層との収まり方の問題がデベロッパー、ゼネコンにとって重要課題となってきている。
【０００５】
また、近年中古マンション、戸建て住宅などの住居区画のリフォ−ム、改修などが行われ、このため屋上への通気管、各種配管の位置移動、追加などが頻繁に行われるようになってきた。これに対して前記の埋め込みユニットは大型であり、改装工事が大がかりになりコストがかかる。一方、鋳鉄製防水継ぎ手では防水層の収縮を余裕を持って吸収することが困難であり、防水層の関係もあって精密に場所の選定が必要である。このため一旦確定した後は場所の移動も困難で位置合わせが困難であるなどの問題があり、これらの問題を克服した上でリフォームなどにおいても防水層の膨張収縮を余裕を持って吸収でき、かつ施工が容易で安価な通気管用ユニットの開発が求められている。
【０００６】
【発明が解決しようとする課題】
本発明は、マンション、団地などの集合住宅或いは個人住宅などにおいて、排水集合管に用いる屋内から屋上に延びる排水用伸頂通気管等のための屋上ユニットであって、配管の位置合わせが容易であり、防水層の膨張収縮を余裕を持って吸収でき、かつ施工が容易で安価な小型通気管用ユニットの開発を目的とする。
【０００７】
【課題を解決するための手段】
本発明は、
［１］　建築物屋上に設けられた通気管用ユニットであって、屋上スラブ層に固定するためのアンカーユニットにより固定され、建築物内部よりの通気管より大なる断面、裾部を有する筒体及びフードからなり、かつ建築物屋上スラブ層上面に設けられた防水層が該筒体の壁面までカバーしてなることを特徴とする通気管専用屋上ユニット、
【０００８】
［２］　筒体頂部にフードをスペーサー金具を用いて間隙を設けて取り付け通気管を大気開放し、下端部が筒体頂部より筒体外周の下側に下がっている上記［１］に記載の通気管専用屋上ユニット、
［３］　建物内部からの通気管が、屋上ユニット筒体頂部面より上まで延びていると共に、通気管と筒体の間を密閉してある上記［１］に記載の通気管専用屋上ユニット、
［４］　筒体が裾部を有する筒体であって繊維強化セメント又は繊維強化プラスチックのいずれかである上記［１］に記載の通気管専用屋上ユニット、
【０００９】
［５］　屋上スラブ下型枠に配管用スリーブを固定し、コンクリートを打設し、コンクリート固化した後に通気管用ユニットをアンカーユニットで固定した後、以後順不同で良いが配管ユニット筒体の側面部まで一体化した屋上防水工事を行い、配管用スリーブを貫通する通気管施工を行うことを特徴とする屋上に通気管専用屋上ユニットを設置する方法、
［６］　建築物屋上スラブ層上面に設けられた筒体の裾部が充填材を用いてフラット化するか、またはさらに該裾部と防水層の間に緩衝材を挿入する上記［５］に記載の通気管専用屋上ユニットを設置する方法、及び
［７］　屋上スラブ下型枠にレベルアンカー及びスリーブを固定して、レベル調整し、コンクリートを打設し、以後順不同で良いが配管ユニット筒体の側面部まで一体化した屋上防水工事を行い、配管用スリーブを貫通する通気管施工を行うことを特徴とする屋上に通気管専用屋上ユニットを設置する方法、を開発することにより上記の課題を解決した。
【００１０】
【発明の実施の形態】
本発明の対象とする建築物は、屋上がコンクリートのスラブ層を有し、その上に防水層が設けられているものであれば、建築物が大型、小型の何れであっても良く、また防水層上に押さえコンクリート層の有無に関係ないので特に限定する必要はない。さらに屋上が緑化されていても良い。
【００１１】
本発明において通気管とは、特に厨房、浴室、洗面所、トイレからの廃水を集めて排水する排水管からの伸頂通気管（水流による減圧や加圧の防止のための通気管）などである。これ以外の目的であってもスラブ層を貫通して屋上に配管やダクトを取り出す通気配管類に適用することも可能である。
本発明において「通気管専用屋上ユニット」は、埋め込み型ユニットとしても使用できるが、据え付け型タイプとして屋上スラブ層に通気管用ユニットを固定するためのアンカーユニット、筒体及び該筒体のフードと該筒体内部をスラブ層を貫通し、筒体頂部に達する建築物から延びている伸頂通気管から構成されている。
【００１２】
筒体は、単一材質でなくとも良く、耐候性、耐腐食性、機械的強度がある材質であれば使用でき、繊維強化セメント（ＦＲＣ）、繊維強化プラスチック（ＦＲＰ）などが軽量でもあり、工場生産可能な形状のものを好ましく使用できる。筒体は断面が円形、楕円形、四角形、多角形など自由に選択できるが、防水層の膨張、収縮を吸収緩和するためには円形、楕円形が好ましい。
筒体はその下部はアンカー固定用穴およびその外周に広がる裾部と、頂部にフード固定用スペーサーなどを備えた筒状体のものである。
【００１３】
この裾部は、筒体の下部に設けられるフランジ状のものであっても良く、筒体をアンカーボルトにより固定するための強度を保証する幅および厚さが必要である。この裾部は防水層を該筒体の壁面に伸長させる下部になるので防水層の急激な屈曲を緩和することが必要となる。防水層の急激な屈曲を緩和するためには、壁面から裾部の結合部もできるだけ緩い曲面を形成させる。裾部の周辺端部も緩い傾斜として延長すればよいが、筒体全体を大きくすることになるので、アンカーの強度に必要な厚さおよび幅とし、モルタルなどで面取りをして裾部周辺を折点のない緩い傾斜として角度を緩和することが好ましい。さらに防水層の膨張、収縮に対応して滑りを良くするためにこれらの中間に発泡材などの緩衝材を挟むことも好ましい態様である。
【００１４】
防水層は、屋上に雨水などが貯まった場合でも建築物躯体への水の浸透を防止できるように、筒体外周壁面まで伸長させることが必要である。この場合防水層が筒体からずり落ちるのを防ぐため、防水層を筒体上部まで伸張させ、防水層を留める筒体上部は凹ませてステンレスバンドなどで防水層を係止することが好ましい。また防水層内部に雨水の流入を防止のため、バンド用凹みの上部は防水層を覆うように膨出させる、フードの下端部より上部に固定するあるいは防水層上部端部をコーキング材で封止しておくことも有効である。
【００１５】
通気用配管は、スラブ層に設けられた配管より太い配管用スリーブ中を貫通して筒体頂部の端面より僅か上部に開口している。スリーブが配管より太いことが位置合わせの精度に余裕を与えることになる。筒体は該スリーブの外径よりは少なくとも太い内径を有することが好ましい。筒体の外形が比較的大きいために気温の変化、日光直射による防水層の膨張収縮を緩和し、防水層切れを防止できることになる。
配管の開口位置（高さ）は、排水集合管の伸頂通気管の場合を除き、雨水や結露水の侵入を防ぐことが必要であるので、筒体頂部内の水滴が流入しないようにしておくことが必要である。
【００１６】
筒体頂部は、フードでカバーされる。フードは筒体頂部に空間を設けて覆って筒体にスペーサー金物により筒体との間に間隙を設けて固定されており、その周辺部は筒体外周を筒体頂部より下方まで伸び、暴風時などにおいても雨水などの浸入を防止し、虫や野鳥などが入り込まないようになっていればよい。また形状的にフード中央部を最高部とし、周辺を緩い曲面または斜面として、結露しても水滴が周辺部に流出するようにすることが好ましい。
材質的には、使用する位置にもよるが、耐候性、耐腐食性、機械的強度があればよいので、ステンレススチール、アルミニウム、銅などの金属、ＦＲＣ、ＦＲＰなどが使用できる。雨音が問題となるような場合には裏に不織布などを貼るなどの対策が必要となる。
【００１７】
以下図面を参照して通気管用ユニットの設置について具体的に本発明の実施態様を説明する。図１〜図５は、建築物を建設する際に通気管用ユニットを施工する際の一つの手順を示すものである。
まず伸頂通気管用スリーブ３を屋上スラブ下型枠２に固定し、コンクリートを打設してスラブ１を形成する。コンクリートが固化した後、所定に位置に所定の径、深さのアンカーボルト用穴４を削設する。吸塵機またはダストポンプを用いて穴内の切り粉を除去する。アンカーボルト５を穴４に打ち込み固定し、筒体７をアンカー用ナット６で締めつけ固定する。筒体が固定されたらモルタルなどで裾部周辺端部の表面を面取りし、角張りを完全に除き、緩い傾斜面とした後に防水層８を筒体７の上部まで延長し、筒体７側面にステンレスバンド１１のようなフラットなもので留め、その上断面と筒体７の間をコーキング材１０にてシールする。なお防水層８と筒体基部の間には緩衝材のようなものを挟んでおくことは、防水層の切れるのを防ぐのに有効である。
【００１８】
続いて、スリーブ３を貫通して伸頂通気管１５を配管し、スリーブ３と配管１５の隙間をモルタル等充填して固定する。配管１５の頂面を筒体７の頂部より僅かに高いところで切断し、伸頂通気管１５を通過できる穴があり、筒体の頂部空間部を完全にカバーできる大きさのフレキボード１２を被せ、該穴と伸頂通気管１５との間をコーキング材１３で封止する。このようにしておけば仮に風雨などで雨水が吹き込んでも、伸頂通気管１５中には流れ込まない。また筒体７にスペーサー金具１６により間隙を設けて取り付けられているフード１４は、中央部分を高く周囲が低く成形することにより、結露しても伸頂通気管中には落ちないようにすることができる。なお排水集合管の伸頂通気管であれば少しの雨水が入ってもあまり問題にはならない。
【００１９】
或いは順序を逆にして、先にアンカーボルト５を穴４に固定した後、伸頂通気管１５をスリーブ３に貫通して配管し、ついで筒体７をアンカー用ナットで固定し、伸頂通気管１５とスリーブ３の隙間をモルタル等充填して固定し、筒体７上部の伸頂通気管１５頂部にフレキボード１２を被せ、伸頂通気管１５とフレキボード１２の間をコーキング材１３で封止した後、筒体裾部の防水層７の処理を行っても良い。
次いでフードを被せ、固定することにより屋上に設置する通気のための通気管用ユニットを設置できる。なお当然のことながら防水層保護のため押さえコンクリートを施工することもできる。
【００２０】
【発明の効果】
本発明は、集合住宅或いは個人住宅などにおいて、配管の位置合わせが容易であり、防水層の膨張収縮を余裕を持って吸収でき、かつ施工が容易で安価な小型通気管用ユニットであり、主としてトイレ、風呂場、厨房などの排水管に用いる屋内から屋上に延びる排水用伸頂通気管のための屋上ユニットである。
本発明の屋上ユニットは、埋め込み型としたときは防水層のしまい方が有利であるが、据え付けタイプとしたときは埋め込み型の屋上ユニットに比して据え付けが容易であり、建物の完成後あるいはリフォームなどの場合においても設置が容易であり、特に問題となる防水層の膨張、収縮を余裕を持って吸収できる利点がある。
【図面の簡単な説明】
【図１】伸頂通気管用スリーブを挿入しコンクリートを打設する断面図。
【図２】アンカー用穴の掘削の断面図。
【図３】筒体をアンカーに固定する断面図。
【図４】筒体に防水層を伸張した断面図。
【図５】完成した通気管用ユニットの断面図。
【符号の説明】
１　スラブ（コンクリート打設）
２　屋上スラブ下方枠
３　伸頂通気管用スリーブ
４　アンカー用穴
５　アンカーボルト
６　アンカーナット
７　筒体
８　防水層
１０　コーキング材
１１　ステンレスバンド
１３　コーキング材
１４　フード
１５　配管
１６　スペーサー金具
【図１】
2004003220.tif 000003
【図２】
2004003220.tif 000004
【図３】
2004003220.tif 000005
【図４】
2004003220.tif 000006
【図５】
2004003220.tif 000007